【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
デジタルカラーイメージを処理するための方法であって、前記方法は、処理装置を有する汎用コンピューティングデバイスを使用して実行され、
前記デジタルカラーイメージ内の各ピクセルについて、完全に指定されたＲＧＢトリプルカラー値を取得するステップと、
前記デジタルカラーイメージ内の選択されたピクセル周囲の処理領域内のピクセルについて、前記ピクセルのカラー値を２つのクラスタにグループ化するステップと、
前記２つのクラスタのそれぞれの平均を見出し、第１のクラスタの第１の平均に対応する第１の優先カラー値および第２のクラスタの第２の平均に対応する第２の優先カラー値を生成するステップと、
前記第１の優先カラー値および前記第２の優先カラー値が最終カラー値に対してどの程度のコントリビューションを与えるかを指定する、部分混合値を定めるステップと、
前記処理領域内の前記ピクセルのカラー値の各々に与えられる前記部分混合値の確率を最大にする前記第１の優先カラー値および前記第２の優先カラー値の混合として定められた、前記選択されたピクセルの最大部分混合値を決定するステップと、
前記最大部分混合値と、前記第１の優先カラー値および前記第２の優先カラー値とを使用して、前記デジタルカラーイメージ内の前記選択されたピクセルの前記最終カラー値を取得し、前記デジタルカラーイメージのデモザイクを実行して、イメージアーティファクトが削減された改善したデジタルカラーイメージを取得するステップと
を含むことを特徴とする方法。
【請求項２】
予備的なパスデモザイク技法を使用して、各ピクセルについて前記完全に指定されたＲＧＢトリプルカラー値を取得するステップをさらに含むことを特徴とする請求項１に記載の方法。
【請求項３】
高品質の線形補間デモザイク技法を使用して、各ピクセルについて前記完全に指定されたＲＧＢトリプルカラー値を取得するステップをさらに含むことを特徴とする請求項２に記載の方法。
【請求項４】
前記選択されたピクセルを中心とする前記デジタルカラーイメージ内の前記処理領域を定めるステップをさらに含むことを特徴とする請求項１に記載の方法。
【請求項５】
クラスタ化技法を使用して、前記処理領域内のピクセルのカラー値を前記２つのクラスタにグループ化するステップをさらに含むことを特徴とする請求項１に記載の方法。
【請求項６】
前記クラスタ化技法は、ｋ平均クラスタ化技法であることを特徴とする請求項５に記載の方法。
【請求項７】
前記クラスタ化技法と共に異常値除去技法を使用して、クラスタ化の結果を改善するステップをさらに含むことを特徴とする請求項５に記載の方法。
【請求項８】
関連バイエルカラーフィルタを有するデジタルカラーイメージを処理する方法をコンピュータに実行させるコンピュータ実行可能な命令を記録したコンピュータ読み取り可能な記憶媒体であって、前記方法は、
前記バイエルカラーフィルタから取得したサンプルを使用して、前記デジタルカラーイメージに対して予備的なデモザイクパスを実行して、前記デジタルカラーイメージ内の各ピクセルについて完全に指定されたＲＧＢカラー値を取得するステップと、
処理のために前記デジタルカラーイメージからピクセルを選択して、選択されたピクセルを取得するステップと、
前記選択されたピクセル周囲の処理領域内のピクセルについて、前記完全に指定されたＲＧＢカラー値を２つのクラスタにグループ化するステップと、
前記２つのクラスタのそれぞれの平均を見出し、第１のクラスタの第１の平均に対応する第１の優先カラー値および第２のクラスタの第２の平均に対応する第２の優先カラー値を生成するステップと、
前記第１の優先カラー値および前記第２の優先カラー値が最終カラー値に対してどの程度のコントリビューションを与えるかを指定する、部分混合値を定めるステップと、
前記処理領域内の前記ピクセルのカラー値の各々に与えられる前記部分混合値の確率を最大にする前記第１の優先カラー値および前記第２の優先カラー値の混合として定められた、前記選択されたピクセルの最大部分混合値を決定するステップと、
前記最大部分混合値と、前記第１の優先カラー値および前記第２の優先カラー値とを使用して、前記選択されたピクセルの前記最終カラー値を取得し、前記デジタルカラーイメージのデモザイクを実行するステップと、
前記デジタルカラーイメージ内の各ピクセルについて、上記の選択されたピクセルを取得するステップと、クラスタにグループ化するステップと、優先カラー値を生成するステップと、部分混合値を定めるステップと、最大部分混合値を決定するステップと、デモザイクを実行するステップとを繰り返して、前記デジタルカラーイメージ内のアーティファクトを削減するステップと
を含むことを特徴とするコンピュータ読み取り可能な記憶媒体。
【請求項９】
前記方法は、予備的なデモザイクパスの間、高品質の線形補間技法を使用するステップをさらに含むことを特徴とする請求項８に記載のコンピュータ読み取り可能な記憶媒体。
【請求項１０】
前記方法は、
前記選択されたピクセル周囲の前記処理領域を中心に置くステップと、
ｋ平均クラスタ化技法を使用して、前記処理領域内のピクセルからの前記完全に指定されたＲＧＢカラー値を２つのクラスタにクラスタ化するステップであって、前記第１の優先カラー値および前記第２の優先カラー値のそれぞれはＲＧＢカラー値を有する、ステップと
をさらに含むことを特徴とする請求項８に記載のコンピュータ読み取り可能な記憶媒体。
【請求項１１】
前記方法は、前記処理領域内のピクセルについて、前記バイエルカラーフィルタからのサンプルカラー値を使用して、前記選択されたピクセルの前記部分混合値を計算するステップをさらに含むことを特徴とする請求項１０に記載のコンピュータ読み取り可能な記憶媒体。
【請求項１２】
デジタルカラーイメージをデモザイクして、前記デジタルカラーイメージ内のアーティファクトを削減するコンピュータ実施方法であって、前記方法は、処理装置を有する前記コンピュータを使用して実行され、
高品質の線形補間デモザイクを前記デジタルカラーイメージに実行して、前記デジタルカラーイメージ内の各ピクセルについてＲＧＢトリプルカラー値を取得するステップと、
処理のために前記デジタルカラーイメージ内のピクセルを選択して、処理されるピクセルとして指定するステップと、
５×５ピクセル領域を有する処理されるピクセルを中心とする処理領域を定めるステップと、
クラスタ化技法を使用して、前記処理領域内のピクセルのＲＧＢカラー値を２つのクラスタにクラスタ化するステップと、
前記２つのクラスタのそれぞれの平均を見出し、第１のクラスタの第１の平均に対応する第１の優先カラー値および第２のクラスタの第２の平均に対応する第２の優先カラー値を生成するステップと、
前記第１の優先カラー値および前記第２の優先カラー値が最終カラー値に対してどの程度のコントリビューションを与えるかを指定する、部分混合値を定めるステップと、
前記処理領域内の前記ピクセルのカラー値の各々に与えられる前記部分混合値の確率を最大にする前記第１の優先カラー値および前記第２の優先カラー値の混合として定められた、前記処理されるピクセルの最大部分混合値を決定するステップと、
前記最大部分混合値と、前記第１の優先カラー値および前記第２の優先カラー値とを使用して、前記デジタルカラーイメージ内の前記処理されるピクセルの前記最終カラー値を取得し、前記デジタルカラーイメージのデモザイクを実行して、イメージアーティファクトが削減された前記デジタルカラーイメージのデモザイク版を取得するステップと
を含むことを特徴とする方法。
【請求項１３】
【数１】
2009525636.tif 000001
が前記処理されるピクセルの前記第１の優先カラー値であり、
【数２】
2009525636.tif 000002
が前記処理されるピクセルの前記第２の優先カラー値であり、Ｓが前記処理領域内の各ピクセルのサンプルセットである、式、
【数３】
2009525636.tif 000003
で与えられる前記部分混合値αの前記確率を最大にすることによって、前記最大部分混合値
【数４】
2009525636.tif 000004
を計算するステップをさらに含むことを特徴とする請求項１２に記載の方法。
【請求項１４】
式、
【数５】
2009525636.tif 000005
を使用して、前記処理されるピクセルの前記最終カラー値Ｃを計算するステップをさらに含むことを特徴とする請求項１３に記載の方法。